(57)【要約】【課題】複数のマルチ画像を１画面に表示する場合において、マルチ画像毎にコントラストを調整できるようにする。【解決手段】Ｓ／Ｔ分離回路５１は、輝度信号ＹＩＮをストラクチャ成分Ｓ１とテクスチャ成分Ｔ１に分離する。ストラクチャ補正回路５３は、ストラクチャ成分Ｓ１を補正することにより、ストラクチャ成分Ｓ２を生成する。テクスチャ増幅回路５２は、テクスチャ成分Ｔ１を増幅し、テクスチャ成分Ｔ２を生成する。スイッチ５４は、マルチ画面処理部１４から供給されるＤＥ信号に基づいて、テクスチャ成分Ｔ１およびテクスチャ成分Ｔ２のうちいずれか一方を選択し、選択したテクスチャ成分を加算器５５に供給する。加算器５５は、スイッチ５４からテクスチャ成分を取得し、ストラクチャ成分Ｓ２に加算する。本発明は、テレビジョン受像機に適用することができる。【選択図】      図１
2004266757.tif 000002
【特許請求の範囲】
【請求項１】
画像を処理する画像処理装置において、
１画面に同時に表示される複数のマルチ画像のデータを含む入力画像データを、マルチ画像の輪郭を構成するストラクチャ成分とマルチ画像の細部を構成するテクスチャ成分とに分離するデータ分離手段と、
前記データ分離手段により分離された前記テクスチャ成分を強調するテクスチャ強調手段と、
前記データ分離手段により分離された前記ストラクチャ成分に対して、非直線的補正を施すストラクチャ補正手段と、
前記テクスチャ強調手段により強調された前記テクスチャ成分と、強調されていない前記テクスチャ成分のうちいずれか一方を選択する選択手段と、
前記ストラクチャ補正手段により補正された前記ストラクチャ成分と、前記選択手段により選択された前記テクスチャ強調手段により強調された前記テクスチャ成分を合成して加工データを生成する合成手段と、
前記合成手段により合成された前記加工データに基づいて、複数の前記マルチ画像を１つの画面に表示させるように制御する表示制御手段と
を備えることを特徴とする画像処理装置。
【請求項２】
前記マルチ画像の枠であることを表わす枠信号を出力する枠信号出力手段をさらに備える
ことを特徴とする請求項１に記載の画像処理装置。
【請求項３】
前記選択手段は、前記枠信号出力手段から、前記マルチ画像の枠であることを表わす前記枠信号が出力された場合、強調されていない前記テクスチャ成分を選択し、前記合成手段に供給する
ことを特徴とする請求項２に記載の画像処理装置。
【請求項４】
前記枠信号出力手段は、前記マルチ画像の画像表示期間でない場合、前記マルチ画像の枠であることを表わす枠信号を出力する
ことを特徴とする請求項２に記載の画像処理装置。
【請求項５】
前記枠信号出力手段は、さらに、前記マルチ画像の画像表示期間であって、前記マルチ画像の縁の近傍の所定の範囲のとき、前記マルチ画像の枠であることを表わす枠信号を出力する
ことを特徴とする請求項４に記載の画像処理装置。
【請求項６】
画像を処理する画像処理装置の画像処理方法において、
１画面に同時に表示される複数のマルチ画像のデータを含む入力画像データを、マルチ画像の輪郭を構成するストラクチャ成分とマルチ画像の細部を構成するテクスチャ成分とに分離するデータ分離ステップと、
前記データ分離ステップの処理により分離された前記テクスチャ成分を強調するテクスチャ強調ステップと、
前記データ分離ステップの処理により分離された前記ストラクチャ成分に対して、非直線的補正を施すストラクチャ補正ステップと、
前記テクスチャ強調ステップの処理により強調された前記テクスチャ成分と、強調されていない前記テクスチャ成分のうちいずれか一方を選択する選択ステップと、
前記ストラクチャ補正ステップの処理により補正された前記ストラクチャ成分と、前記選択ステップの処理により選択された前記テクスチャ成分を合成して加工データを生成する合成ステップと、
前記合成ステップの処理により合成された前記加工データに基づいて、複数の前記マルチ画像を１つの画面に表示させるように制御する表示制御ステップと
を含むことを特徴とする画像処理方法。
【発明の詳細な説明】
【０００１】
【発明の属する技術分野】
本発明は、画像処理装置および方法に関し、特に、複数のマルチ画像を１画面に表示する場合において、マルチ画像毎にコントラストを調整できるようにした画像処理装置および方法に関する。
【０００２】
【従来の技術】
画像処理装置は、入力画像に画質補正を施してから出力する画像処理機能として、例えば、明暗やコントラストの調整、輪郭補正等の機能を有している。
【０００３】
例えば、特許文献１には、輝度分布の広がり量から自動的にコントラストの強調程度を判断し、ユーザが容易にコントラストを適正量だけ強調できるような画像処理機能を有する画像処理装置が提案されている。
【０００４】
また、入力画像信号のヒストグラムを取ることにより、画像のコントラストを強調するコントラスト強調方法が提案されている。
【０００５】
【特許文献１】
特開平１０−２０８０３４号公報
【０００６】
【発明が解決しようとする課題】
ところで、近年、１つの画面上に複数の縮小画像を同時に表示させるマルチ画面表示機能を有するテレビジョン受像機が販売されている。
【０００７】
テレビジョン受像機にマルチ画面を表示させる場合、特許文献１に記載の画像処理機能では、縮小画像毎にコントラストを強調することができないという課題があった。
【０００８】
また、上述したコントラスト強調方法では、縮小画像毎にコントラストを強調するには、縮小画像毎のヒストグラムを取らなければならず、その演算処理が多くなり、処理に時間がかかるという課題があった。
【０００９】
本発明はこのような状況に鑑みてなされたものであり、マルチ画面を表示する場合において、簡単かつ迅速に縮小画像毎にコントラストを調整できるようにするものである。
【００１０】
【課題を解決するための手段】
本発明の画像処理装置は、１画面に同時に表示される複数のマルチ画像のデータを含む入力画像データを、マルチ画像の輪郭を構成するストラクチャ成分とマルチ画像の細部を構成するテクスチャ成分とに分離するデータ分離手段と、データ分離手段により分離されたテクスチャ成分を強調するテクスチャ強調手段と、データ分離手段により分離されたストラクチャ成分に対して、非直線的補正を施すストラクチャ補正手段と、テクスチャ強調手段により強調されたテクスチャ成分と、強調されていないテクスチャ成分のうちいずれか一方を選択する選択手段と、ストラクチャ補正手段により補正されたストラクチャ成分と、選択手段により選択されたテクスチャ強調手段により強調されたテクスチャ成分を合成して加工データを生成する合成手段と、合成手段により合成された加工データに基づいて、複数のマルチ画像を１つの画面に表示させるように制御する表示制御手段とを備えることを特徴とする。
【００１１】
前記マルチ画像の枠であることを表わす枠信号を出力する枠信号出力手段をさらに備えるようにすることができる。
【００１２】
前記選択手段は、枠信号出力手段から、マルチ画像の枠であることを表わす枠信号が出力された場合、強調されていないテクスチャ成分を選択し、合成手段に供給するようにすることができる。
【００１３】
前記枠信号出力手段は、マルチ画像の画像表示期間でない場合、マルチ画像の枠であることを表わす枠信号を出力するようにすることができる。
【００１４】
前記枠信号出力手段は、さらに、マルチ画像の画像表示期間であって、マルチ画像の縁の近傍の所定の範囲のとき、マルチ画像の枠であることを表わす枠信号を出力するようにすることができる。
【００１５】
本発明の画像処理方法は、１画面に同時に表示される複数のマルチ画像のデータを含む入力画像データを、マルチ画像の輪郭を構成するストラクチャ成分とマルチ画像の細部を構成するテクスチャ成分とに分離するデータ分離ステップと、データ分離ステップの処理により分離されたテクスチャ成分を強調するテクスチャ強調ステップと、データ分離ステップの処理により分離されたストラクチャ成分に対して、非直線的補正を施すストラクチャ補正ステップと、テクスチャ強調ステップの処理により強調されたテクスチャ成分と、強調されていないテクスチャ成分のうちいずれか一方を選択する選択ステップと、ストラクチャ補正ステップの処理により補正されたストラクチャ成分と、選択ステップの処理により選択されたテクスチャ成分を合成して加工データを生成する合成ステップと、合成ステップの処理により合成された加工データに基づいて、複数のマルチ画像を１つの画面に表示させるように制御する表示制御ステップとを含むことを特徴とする。
【００１６】
本発明の画像処理装置および方法においては、入力画像データが、ストラクチャ成分とテクスチャ成分とに分離され、テクスチャ成分が強調されるとともに、ストラクチャ成分に対して、非直線的補正が施される。そして、強調されたテクスチャ成分と、強調されていないテクスチャ成分のうちいずれか一方が選択され、補正されたストラクチャ成分と、選択されたテクスチャ成分が合成されて加工データが生成され、加工データに基づいて、複数のマルチ画像が１つの画面に表示されるように制御される。
【００１７】
【発明の実施の形態】
以下に、本発明の実施の形態について図面を参照して説明する。
【００１８】
図１は、本発明を適用したテレビジョン受像機１の構成例を示すブロック図である。
【００１９】
テレビジョン受像機１は、放送電波を受信し、所定のチャンネルの信号を復調する画像処理部２と、復調して得られた信号をもとに画像表示を行うディスプレイ３により構成されている。
【００２０】
画像処理部２のチューナ１１Ａ，１１Ｂは、それぞれ異なるチャンネル（番組）のテレビジョン信号を時分割で受信し、復調してコンポジット信号（ＣＶＢＳ：Ｃｏｍｐｏｓｉｔｅ  Ｖｉｄｅｏ  Ｂｕｒｓｔ  Ｓｉｇｎａｌ）を出力する。Ｙ／Ｃ分離回路１２Ａ，１２Ｂは、対応するチューナ１１Ａ，１１Ｂからコンポジット信号を取得し、コンポジット信号をそれぞれ輝度信号Ｙ１および色信号Ｃ１（Ｙ／Ｃ分離回路１２Ａ），輝度信号Ｙ２および色信号Ｃ２（Ｙ／Ｃ分離回路１２Ｂ）に分離して出力する。クロマデコーダ１３Ａは、輝度信号Ｙ１と色信号Ｃ１を、ＹＵＶ信号としての信号Ｙ１Ｕ１Ｖ１に変換し、クロマデコーダ１３Ｂは、輝度信号Ｙ２と色信号Ｃ２を、ＹＵＶ信号としての信号Ｙ２Ｕ２Ｖ２に変換して出力する。
【００２１】
マルチ画面処理部１４は、クロマデコーダ１３Ａとクロマデコーダ１３ＢからのＹＵＶ信号（ここではＹＵＶ信号としての信号Ｙ１Ｕ１Ｖ１、および、信号Ｙ２Ｕ２Ｖ２）を取得し、取得したＹＵＶ信号に基づいて、１つの画面上に複数の縮小画像を同時に表示させるようなＹＵＶ信号としての信号ＹＩＮ，ＵＩＮ，ＶＩＮを生成し、出力する。例えば、チューナ１１Ａがチャンネル１乃至５のテレビジョン信号を時分割で順次受信し、チューナ１１Ｂがチャンネル６乃至９のテレビジョン信号を時分割で受信（すなわち、チャンネル６乃至９を順次受信）した場合、マルチ画面処理部１４は、取得した９個のチャンネル（時分割で受信された９個のチャンネル）のＹＵＶ信号（信号Ｙ１Ｕ１Ｖ１、および、信号Ｙ２Ｕ２Ｖ２）に基づいて、１つの画面上に９個の縮小画像（以下、マルチ画像と称する）を同時に表示させるようなＹＵＶ信号としての信号ＹＩＮ，ＵＩＮ，ＶＩＮを（１フレーム毎に）生成する（ＹＵＶ信号としての信号Ｙ１Ｕ１Ｖ１、および信号Ｙ２Ｕ２Ｖ２を合成して生成する）。すなわち、信号ＹＩＮ，ＵＩＮ，ＶＩＮには、９つのチャンネルの画像に対応する信号が含まれる。
【００２２】
また、マルチ画面処理部１４は、出力するＹＵＶ信号としての信号ＹＩＮ，ＵＩＮ，ＶＩＮが、画像表示期間であるか否か（マルチ画像であるか否か）を示すＤＥ（Ｄｉｓｐｌａｙ  Ｅｎａｂｌｅ）信号を生成し、テクスチャ強調部１５のスイッチ５４に出力する。
【００２３】
画像データは、主に、画像の輪郭を構成するストラクチャ成分と、主に、その細部を構成するテクスチャ成分とを有する。テクスチャ強調部１５，遅延回路１６，およびクロマアンプ１７では、主に、このテクスチャ成分を強調するテクスチャ強調に関する処理が行われる（詳細は後述する）。テクスチャ強調部１５は、入力される輝度信号ＹＩＮに対しテクスチャ強調処理を施し、輝度信号ＹＯＵＴ１として輪郭補正回路１８に出力するとともに、クロマアンプ１７に出力する。
【００２４】
輪郭補正回路１８には、シャープネス機能、すなわち、画像中の人物や物体の縁部、輪郭部の部分の鮮鋭度を強調する機能（周波数特性を補正する機能）が備えられている。輪郭補正回路１８は、輝度信号ＹＯＵＴ１に対して、周波数特性の補正（輪郭強調補正）を行なうことにより、画像中の人物や物体の縁部、輪郭部の部分の鮮鋭度を補正する。例えば、輝度信号ＹＯＵＴ１の鮮鋭度が異常に強かった場合、輪郭補正回路１８は、周波数特性を下げるように補正し、逆に、輝度信号ＹＯＵＴ１の鮮鋭度が弱すぎた場合、周波数特性を上げるように補正する。また、輪郭補正回路１８のパラメータは、ユーザが設定することも可能であるので、ユーザは、自分の好みの鮮鋭度を設定することができる。輪郭補正回路１８は、輝度信号ＹＯＵＴ１に対して、周波数特性を補正し（輪郭強調補正を行ない）、輝度信号ＹＯＵＴ２を生成し、マトリクス回路１９に出力する。
【００２５】
遅延回路１６は、色差信号ＵＩＮ，ＶＩＮに対して遅延をかけ、テクスチャ強調部１５において生成される輝度信号ＹＯＵＴ１と同期をとって出力する。クロマアンプ１７は、入力される色差信号ＵＩＮ，ＶＩＮに「ＹＩＮ／ＹＯＵＴ１」の比を乗じ、Ｙ／Ｃ比（Ｃ；色差信号Ｕ，Ｖの双方を指す）を、テクスチャ強調処理の前後で一定の値に保つようにして色差信号ＵＯＵＴ，ＶＯＵＴを生成する。生成された色差信号ＵＯＵＴ，ＶＯＵＴは、マトリクス回路１９に出力される。
【００２６】
なお、ＹＵＶ信号（ディジタルデータ）は、画像上の位置に対応する画素値の集合である。そのうち、輝度信号Ｙは輝度レベルを表現し、白１００％である白レベルと、黒１００％である黒レベルとの間の振幅値をとる。なお、画像信号の白１００％は、ＩＲＥ（Ｉｎｓｔｉｔｕｔｅ  ｏｆ  Ｒａｄｉｏ  Ｅｎｇｉｎｅｅｒｓ）という画像信号の相対的な比を表す単位において、１００（ＩＲＥ）と定められている。日本のＮＴＳＣ信号の規格では、白レベルが１００ＩＲＥ，黒レベルが０ＩＲＥである。それゆえ、以下の説明では、輝度信号Ｙが、黒を表す最低値（０ＩＲＥ）またはその近傍の値をとることを「黒側」、白を表す最大値（１００ＩＲＥ）またはその近傍の値をとることを「白側」と称する。また、色差信号Ｕ，Ｖはそれぞれ、青（Ｂ；Ｂｌｕｅ）から輝度信号Ｙを減算した信号「Ｂ−Ｙ」、赤（Ｒ；Ｒｅｄ）から輝度信号Ｙを減算した信号「Ｒ−Ｙ」に対応しており、これらＵ信号，Ｖ信号を輝度信号Ｙと組み合わせることによって色（色相，彩度，輝度）が表現される。
【００２７】
マトリクス回路１９は、テクスチャ強調処理後のＹＵＶ信号である信号ＹＯＵＴ２，ＵＯＵＴ，ＶＯＵＴをＲＧＢ信号に変換し、ドライバ２０に出力する。ドライバ２０は、ＲＧＢ信号に基づいて、ディスプレイ３の駆動信号を生成し、出力する。ディスプレイ３は、ドライバ２０から供給される駆動信号に基づいて画像を表示する。ディスプレイ３は、どのような種類のディスプレイデバイスであってもよく、ＣＲＴ（Ｃａｔｈｏｄｅ  Ｒａｙ  Ｔｕｂｅ）２１や、ＬＣＤ（Ｌｉｑｕｉｄ  Ｃｒｙｓｔａｌ  Ｄｉｓｐｌａｙ）２２，ＰＤＰ（Ｐｌａｓｍａ  Ｄｉｓｐｌａｙ  Ｐａｎｅｌ）（図示せず）等が用いられる。
【００２８】
なお、いまの例の場合、入力される画像信号を放送信号としたが、これに限らず、ＶＣＲ（ＶｉｄｅｏＣａｓｓｅｔｔｅ  Ｒｅｃｏｒｄｅｒ）、またはＤＶＤ（Ｄｉｇｉｔａｌ  Ｖｅｒｓａｔｉｌｅ  Ｄｉｓｃ）などの出力信号であってもよい。
【００２９】
次に、このテレビジョン受像機１のうち、テクスチャ強調部１５の構成と機能について、より詳細に説明する。テクスチャ強調部１５は、Ｓ／Ｔ（ストラクチャ／テクスチャ）分離回路５１，テクスチャ増幅回路５２，ストラクチャ補正回路５３、スイッチ５４、および加算器５５により構成されている。
【００３０】
このテクスチャ強調部１５では、図２に示されるような処理が行われる。すなわち、入力される輝度信号ＹＩＮは、Ｓ／Ｔ分離回路５１により、主に画像の輪郭成分を構成するストラクチャ成分Ｓ１と、主に、画像の細部を構成するテクスチャ成分Ｔ１とに分離される。テクスチャ成分Ｔ１は、テクスチャ増幅回路５２により増幅されてテクスチャ成分Ｔ２となる。
【００３１】
また、ストラクチャ成分Ｓ１は、ストラクチャ補正回路５３により、低域側（黒側）が強調されると共に、高域側（白側）が抑えられるように振幅が補正され、ストラクチャ成分Ｓ２となる。ストラクチャ成分Ｓ２、選択されたテクスチャ成分（テクスチャ成分Ｔ１またはＴ２）は、加算器５５により加算されて輝度信号ＹＯＵＴ１となる。
【００３２】
スイッチ５４は、テクスチャ増幅回路５２により増幅されたテクスチャ成分Ｔ２と、増幅されていないテクスチャ成分Ｔ１のうちいずれか一方を、マルチ画面処理部１４から供給されるＤＥ信号に基づいて選択し、加算器５５に出力する。ＤＥ信号は、画像表示期間である場合、ＤＥ＝０とされ、画像表示期間でない場合、ＤＥ＝１とされる。スイッチ５４は、ＤＥ＝０である場合（画像表示期間である（マルチ画像の表示期間である）場合）、テクスチャ増幅回路５２により増幅されたテクスチャ成分Ｔ２を選択し、ＤＥ＝１である場合（画像表示期間でない（マルチ画像の枠の表示期間である）場合）、増幅されていないテクスチャ成分Ｔ１を選択する。
【００３３】
すなわち、ＤＥ信号は、マルチ画像の画像信号表示期間であることを表わす信号としても理解できるし（ＤＥ＝０の場合）、マルチ画像の枠の表示期間であることを表わす信号としても理解することができる（ＤＥ＝１）の場合）。
【００３４】
画像表示期間である場合（マルチ画像の表示期間である場合）、補正が施されたストラクチャ成分Ｓ２にテクスチャ成分Ｔ２が重畳される格好となり、輝度信号ＹＯＵＴ１の振幅拡大は抑えられる。これに対して、画像表示期間でない場合（マルチ画像の枠の表示期間である場合）、補正が施されたストラクチャ成分Ｓ２にテクスチャ成分Ｔ１（増幅されていないテクスチャ成分）が重畳され、マルチ画像の枠におけるテクスチャの増幅は抑えられる。
【００３５】
図３は、Ｓ／Ｔ分離回路５１の構成を示すブロック図である。Ｓ／Ｔ分離回路５１は、レベル判定部８１，周波数判定部８２，フィルタ特性決定部８３，非線形フィルタ８４、および減算器８５により構成されている。レベル判定部８１，周波数判定部８２は、それぞれ、輝度信号ＹＩＮの振幅レベル、および周波数の変動範囲を判定し、フィルタ特性決定部８３に判定結果を出力する。フィルタ特性決定部８３は、この判定結果に応じて、非線形フィルタ８４の振幅レベル、および周波数の閾値を決定する。非線形フィルタ８４は、フィルタ特性決定部８３によって決められたフィルタ特性で輝度信号ＹＩＮに平滑化を行い、ストラクチャ成分Ｓ１を抽出する。減算器８５は、元の輝度信号ＹＩＮからストラクチャ成分Ｓ１を減算することでテクスチャ成分Ｔ１を抽出する。
【００３６】
非線形フィルタ８４は、通常用いられる線形ローパスフィルタとは異なり、輝度信号ＹＩＮの振幅レベルと周波数の双方を加味した非線形のフィルタであって、画像の輪郭を構成するストラクチャ成分Ｓ１が、それ以外の成分から峻別されるようになっている。より具体的には、輝度信号ＹＩＮのうち、振幅変動が急峻なエッジ成分はそのまま保存し、エッジ成分以外の小振幅成分に対して平滑化を行うようになっている。その構成としては、例えば、特開２００１−２９８６２１号公報に開示されているものを採用することができる。
【００３７】
非線形フィルタ８４は、２次元の非線形フィルタもしくは画像の水平方向と垂直方向それぞれに適用される１次元の非線形フィルタとして構成され、フィルタリングの中心画素に対し、画素値（振幅）の差の絶対値が所定の閾値ε以下に収まっている周辺画素の画素値はそのまま適用するが、画素値の絶対値の差が閾値εよりも大きければ、そこをエッジと判断し、周辺画素の画素値の代わりに中心画素の画素値を用いることで周辺画素の影響を排除してから平滑化を行う。
【００３８】
ただし、実際の画像では、振幅変動が大きい部分が必ずしも画像上の輪郭線であるとは限らず、逆に、振幅変動が小さくとも輪郭線である場合がある。そのため、ここでは、振幅レベルだけでなく周波数からの情報を合わせて平滑化を行うことで、ストラクチャ成分Ｓ１の抽出の確度を上げるようにしている。
【００３９】
なお、この非線形フィルタ８４は、ストラクチャ成分Ｓ１としてエッジ以外の部分では出来るだけ変化が少ない信号を得ることが望ましいが、そのためには、空間的に広い範囲をカバーできるフィルタとすることが必要となる。例えば、輝度信号ＹＩＮが水平有効画素７２０ドット，垂直走査ライン２８８本に相当するデータであれば、両方向に１／４である（１８０画素×７２画素）程度の大きさのフィルタを用いるとよい。
【００４０】
図４は、主として、Ｓ／Ｔ分離回路５１に続くストラクチャ補正回路５３の構成を示すブロック図である。テクスチャ増幅回路５２は、Ｓ／Ｔ分離回路５１から入力されるテクスチャ成分Ｔ１を、外部入力されるエンハンスゲインＴＥに応じて増幅することでテクスチャ成分Ｔ２を生成し、出力する。なお、実際のエンハンスゲインＴＥの値は、１乃至２の間の値とするのが適当である。通常の使用では、その値は例えば１．３乃至１．４程度とされるが、それ以上ではテクスチャ強調の効果が強く現れる。エンハンスゲインＴＥの値が２以上とされた場合、テクスチャ成分が強調され過ぎて違和感を与えるようになる。
【００４１】
スイッチ５４は、マルチ画面処理部１４から供給されるＤＥ信号に基づいて、テクスチャ増幅回路５２により増幅されたテクスチャ成分Ｔ２、および増幅されていないテクスチャ成分Ｔ１のうちいずれか一方を選択し、選択したテクスチャ成分を加算器５５に出力する。上述したように、ＤＥ信号は、画像表示期間（マルチ画像の画像表示期間）である場合、ＤＥ＝０とされ、画像表示期間でない（マルチ画像の枠の表示期間）である場合、ＤＥ＝１とされているので、スイッチ５４は、画像表示期間では、テクスチャ成分Ｔ２を選択し、画像表示期間でないとき、テクスチャ成分Ｔ１を選択する。
【００４２】
また、ストラクチャ補正回路５３は、ガンマ曲線生成回路１０１，ゲイン調整回路１０２，遅延回路１０３、および加算器１０４からなる。このストラクチャ補正回路５３は、Ｓ／Ｔ分離回路５１から入力されるストラクチャ成分Ｓ１に対し、ストラクチャ成分Ｓ１の輝度レベルの最低値と最高値を除いた中間輝度領域において補正量が正の極大となるような非直線的補正、および輝度レベルの最高値を低減する補正を同時に施す。なお、本実施の形態では、上記非直線的補正を便宜的にガンマ補正と称する。
【００４３】
ガンマ曲線生成回路１０１は、図５に示したように、予め基準となるガンマ特性１０１Ａを保持しており、これからストラクチャＳ１を差し引いてガンマ補正の補正量であるガンマ曲線γ０を求め、ゲイン調整回路１０２に出力する。このガンマ特性１０１Ａのガンマ値は、例えば、０．５乃至０．７（入力値をＸ，出力値をＹとしたときの入出力特性がＹ＝Ｘ０．５乃至Ｙ＝Ｘ０．７）とするとよい。またここでは、ガンマ特性１０１Ａは、白側のレンジが下がった出力が得られるよう、最高出力値が、入力されるストラクチャ成分Ｓ１の最高値よりもオフセット値ΔＹだけ低く設定されている。
【００４４】
さらに、このガンマ特性１０１Ａは、入力信号レベルの２０乃至４０（ＩＲＥ）の範囲内にピーク（入力信号との差、すなわち補正量が最大となる振幅出力）Ｐを有している。人間の顔の輪郭や影の部分の黒は、振幅レベルでは、ほぼ２０乃至４０（ＩＲＥ）に相当する。したがって、このように２０乃至４０（ＩＲＥ）の範囲内の振幅レベルを持ち上げる（強調する）ように補正することで、人間の顔の輪郭や影の部分に対する強調効果を和らげ、顔に対し違和感を生じないようにすることができる。このように、最高値に対してオフセット値ΔＹがあり、２０乃至４０（ＩＲＥ）にピークＰをもつという特徴は、生成されるガンマ曲線γ０に受け継がれる。
【００４５】
ゲイン調整回路１０２は、ガンマ曲線γ０のゲインＧを加減して調整する増幅器として構成されている。図６は、その調整の様子を示している。ガンマ曲線γ０は、ゲインＧを上げると（Ｇ＞１）、ガンマ曲線γ１のように変化し（ガンマ曲線γ０の場合に較べて、出力レベルが正または負の方向に大きくなり（絶対値が大きくなり））、ゲインＧを下げると（０＜Ｇ＜１）、ガンマ曲線γ２のように変化する（ガンマ曲線γ０の場合に較べて、出力レベルが正または負の方向に小さくなる（絶対値が小さくなる））。これにより、ガンマ曲線γ０は、ピークＰ側への曲がり具合とオフセット値ΔＹの値が同時に調整される。オフセット値ΔＹは、例えば、入力側の最大振幅値に対して２乃至２５％の範囲で選択される。
【００４６】
ゲイン調整回路１０２は、ゲインＧをエンハンスゲインＴＥに応じて加減する。エンハンスゲインＴＥが大きいほどテクスチャ成分Ｔ２の振幅は大きくなる。ストラクチャ成分Ｓ２は、ダイナミックレンジに対して黒側、および白側で飽和しないよう、エンハンスゲインＴＥに応じて黒側の特性は大きく曲げられねばならないし、白側の特性は低く抑えられねばならない。したがって、この場合にはゲインＧが大きくなるように調整され、γ１型のガンマ曲線が得られる。逆に、エンハンスゲインＴＥが小さい場合には、テクスチャ成分Ｔ２の振幅増大はさほど考慮する必要がないので、ゲインＧはあまり変える必要はない。よって、この場合には、その増幅の度合いに応じてゲインＧが小さくなるように調整され、γ２型のガンマ曲線が得られる。
【００４７】
本実施の形態では、ゲイン調整回路１０２はさらに、ゲインＧをドライブゲインＤに応じて加減するようになっている。前述のように、ドライバ２０は、輝度階調に応じた電圧値の駆動信号を生成する。しかしながら、通常のテレビジョン受像機では、駆動信号のダイナミックレンジは可変であり、ダイナミックレンジの高輝度側（白側）にオフセットを付けて実効的な駆動電圧を加減することにより、画像の明るさが調整されるようになっている。このダイナミックレンジに対するゲインが、ドライブゲインＤである。すなわち、ここでは、エンハンスゲインＴＥとドライブゲインＤの２つの要素が同時に考慮されてガンマ曲線γ０のゲインＧが決定される。
【００４８】
ドライブゲインＤが大きいことは、高圧で駆動されることを意味する。このときの白側は、輝度がひときわ高くなるために、人間の目の特性上、階調がとれなくなってくる。そのような状態では、いくらテクスチャ成分を強調しても効果的な画質改善は望めない。こうした場合、階調を視認できるレベルまでストラクチャ成分Ｓ２の振幅を下げるようにすれば、強調されたテクスチャ成分Ｔ２を十分に認めることができる。したがって、ドライブゲインＤが大きい場合には、ゲインＧは大きくなるように調整される。また、その場合にエンハンスゲインＴＥが大きければ、一層ゲインＧは大きくする必要がある。
【００４９】
逆に、ドライブゲインＤが小さくなれば、このような問題が生じないのでストラクチャ成分Ｓ２を補正する必要はなく、ゲインＧは小さく選ばれる。ただし、エンハンスゲインＴＥも小さければゲインＧは小さいままでよいが、エンハンスゲインＴＥが大きければ、ゲインＧはエンハンスゲインＴＥに応じて大きくする必要がある。
【００５０】
なお、ドライブゲインＤは連続的に可変であるが、一般的には、画質モードに対応して予め数段階に設定されており、そのうちの１つが外部から選択されるようになっている。具体例としては、ダイナミックモード（Ｄ＝１００％）、スタンダードモード（Ｄ＝８０乃至９０％）、ソフトモード（Ｄ＝５０％）などと設定される。ダイナミックモードやスタンダードモードでは、ＣＲＴ２１またはＬＣＤ２２などよりなるディスプレイ３をフルレンジに対し１００％乃至８０％の電圧で駆動させる。このようにドライブレベル上限近くで駆動させるほど輝度は高くなるが、ディスプレイ３上で視認される輝度は白側で飽和したようになり、白側の階調はあまりとれなくなってくる。これに対して、ソフトモードでは、フルレンジをダイナミックモード時の５０％の電圧で駆動するので、輝度は多少低くなるが適正な階調表現がなされる。よって、ダイナミックモードやスタンダードモードのように、ドライブゲインＤが大きな画質モードほど、高輝度側の特性を確保するために最終的に得られる輝度信号の白レベルを下げる必要がある。よって、ゲインＧを大きくして、ガンマ曲線γ０のオフセットΔＹを大きくとるようにする。
【００５１】
なお、ゲインＧは、最終的にドライバ２０における駆動信号の振幅がダイナミックレンジいっぱいとなるような値に選ばれるのが好ましい。ただし、ディスプレイ３がＣＲＴ２１である場合には、管面に表示される画像の輝度のうち高周波成分が高輝度側で大幅に低下する傾向があるため、駆動信号の振幅レベルを、ダイナミックレンジぎりぎりではなく、さらに少し下げるようにゲインＧを調整する。このように、ゲインＧはディスプレイ３の種類によっても加減され、例えば、エンハンスゲインＴＥが１．７であるときには、ディスプレイ３がＬＣＤ２２であればゲインＧは９５％前後、ＣＲＴ２１であれば９０％前後とされる。
【００５２】
ゲイン調整回路１０２では、以上のようにして得られたゲインＧによって、ガンマ曲線γ０の補正量が調整される。
【００５３】
遅延回路１０３は、入力されるストラクチャ成分Ｓ１に遅延をかけ、ガンマ曲線生成回路１０１，ゲイン調整回路１０２によるガンマ曲線γ０に基づく補正成分と同期をとって出力する。加算器１０４は、入力されるストラクチャ成分Ｓ１とガンマ曲線γ０による成分とを加算し、ストラクチャ成分Ｓ２を生成し、出力する。
【００５４】
ストラクチャ成分Ｓ２は、さらに加算器５５によりテクスチャ成分（テクスチャ成分Ｔ１またはテクスチャ成分Ｔ２）と加算される。これにより、画像表示期間ではテクスチャ成分が強調されると共に、ストラクチャ成分が補正された輝度信号ＹＯＵＴ１が生成され、画像表示期間でないとき、テクスチャ成分は強調されず、ストラクチャ成分のみが補正された輝度信号ＹＯＵＴ１が生成される。
【００５５】
次に、図７乃至図１１のフローチャートを参照して、テレビジョン受像機１における画像表示処理を説明する。なお、この処理は、図１のテレビジョン受像機１のＹ／Ｃ分離回路１２Ａ，１２Ｂに、画像信号が入力されたとき開始される。
【００５６】
ステップＳ１において、Ｙ／Ｃ分離回路１２Ａ，１２Ｂは、それぞれ画像信号を取得し、対応する画像信号を輝度信号Ｙ１および色信号Ｃ１、並びに輝度信号Ｙ２および色信号Ｃ２に、それぞれ分離する。具体的には、Ｙ／Ｃ分離回路１２Ａには、チューナ１１Ａにより受信され、復調されたテレビジョン信号が、コンポジット信号として入力されるので、Ｙ／Ｃ分離回路１２Ａは、入力されたコンポジット信号（画像信号）を、輝度信号Ｙ１と色信号Ｃ１に分離し、クロマデコーダ１３Ａに出力する。また、Ｙ／Ｃ分離回路１２Ｂには、チューナ１１Ｂにより受信され、復調されたテレビジョン信号が、コンポジット信号として入力されるので、Ｙ／Ｃ分離回路１２Ｂは、入力されたコンポジット信号（画像信号）を、輝度信号Ｙ２と色信号Ｃ２に分離し、クロマデコーダ１３Ｂに出力する。
【００５７】
例えば、チューナ１１Ａは、チャンネル１乃至５の５個の番組のテレビジョン信号を時分割で受信し、チューナ１１Ｂは、チャンネル６乃至９の４個の番組のテレビジョン信号を時分割で受信する。このため、輝度信号Ｙ１，色信号Ｃ１には、５個の番組に対応するテレビジョン信号が順次含まれており、輝度信号Ｙ２，色信号Ｃ２には、４個の番組に対応するテレビジョン信号が順次含まれている。
【００５８】
ステップＳ２において、クロマデコーダ１３Ａ，１３Ｂは、対応する輝度信号と色信号（クロマデコーダ１３Ａは輝度信号Ｙ１および色信号Ｃ１、クロマデコーダ１３Ｂは輝度信号Ｙ２および色信号Ｃ２）をそれぞれデコードし、ＹＵＶ信号（クロマデコーダ１３Ａは、信号Ｙ１Ｕ１Ｖ１、クロマデコーダ１３Ｂは、信号Ｙ２Ｕ２Ｖ２）を生成する。クロマデコーダ１３Ａ，１３Ｂは、生成したＹＵＶ信号（クロマデコーダ１３Ａは信号Ｙ１Ｕ１Ｖ１、クロマデコーダ１３Ｂは、信号Ｙ２Ｕ２Ｖ２）を、それぞれマルチ画面処理部１４に供給する。
【００５９】
マルチ画面処理部１４には、クロマデコーダ１３ＡからＹＵＶ信号としての信号Ｙ１Ｕ１Ｖ１が供給され、クロマデコーダ１３ＢからＹＵＶ信号としての信号Ｙ２Ｕ２Ｖ２が供給されてくる。いまの例の場合、クロマデコーダ１３Ａは５個の番組に対応するＹＵＶ信号を供給し、クロマデコーダ１３Ｂは、４個の番組に対応するＹＵＶ信号を供給するので、マルチ画面処理部１４には、９個の番組に対応するＹＵＶ信号を取得する。
【００６０】
そこで、ステップＳ３において、マルチ画面処理部１４は、供給されたＹＵＶ信号としての信号Ｙ１Ｕ１Ｖ１および信号Ｙ２Ｕ２Ｖ２、いまの例の場合、９個の番組に対応するＹＵＶ信号に基づいて、マルチ画面表示を行なうためのＹＵＶ信号として信号ＹＩＮＵＩＮＶＩＮを生成する。具体的には、各チャンネルの画像の大きさを、縦方向と横方向にそれぞれ約１／３に縮小した画像（マルチ画像）を生成し、１フレーム内に３×３個のマトリックス上に配置した信号ＹＩＮＵＩＮＶＩＮを生成する。生成された信号ＹＩＮＵＩＮＶＩＮのうち、輝度信号ＹＩＮはテクスチャ強調部１５、およびクロマアンプ１７に出力され、色差信号ＵＩＮ，ＶＩＮは遅延回路１６に入力される。
【００６１】
ステップＳ４において、テクスチャ強調部１５は、テクスチャ強調処理を実行する。具体的には、輝度信号ＹＩＮがストラクチャ成分Ｓ１とテクスチャ成分Ｔ１に分離され、テクスチャ成分Ｔ１が増幅されてテクスチャ成分Ｔ２が生成されるとともに、ストラクチャ成分Ｓ１が補正されてストラクチャ成分Ｓ２が生成される。スイッチ５４は、増幅されたテクスチャ成分Ｔ２と、増幅されていないテクスチャ成分Ｔ１のうちいずれか一方を選択し、選択したテクスチャ成分を加算器５５に出力する。加算器５５は、スイッチ５４から供給されたテクスチャ成分と、補正されたストラクチャ成分Ｓ２を加算し、輝度信号ＹＯＵＴ１を生成する（図２参照）。その処理の詳細は、図８乃至図１１を参照して後述する。テクスチャ強調部１５は、生成した輝度信号ＹＯＵＴ１を、輪郭補正回路１８に供給するとともに、クロマアンプ１７に供給する。
【００６２】
ステップＳ５において、輪郭補正回路１８は、輝度信号ＹＯＵＴ１を輪郭補正し（輝度信号ＹＯＵＴ１の周波数特性を補正し）、輝度信号ＹＯＵＴ２を生成する。
【００６３】
ステップＳ６において、遅延回路１６は、ステップＳ３の処理によりマルチ画面処理部１４により供給された色差信号ＵＩＮ，ＶＩＮを遅延させる。具体的には、遅延回路１６は、テクスチャ強調部１５において生成される輝度信号ＹＯＵＴ１と同期をとるように、色差信号ＵＩＮ，ＶＩＮを遅延させる。遅延回路１６は、遅延させた色差信号ＵＩＮ，ＶＩＮをクロマアンプ１７に供給する。
【００６４】
ステップＳ７において、クロマアンプ１７は、ステップＳ３の処理によりマルチ画面処理部１４から供給された輝度信号ＹＩＮ（テクスチャ強調処理前の輝度信号）、およびステップＳ４の処理により供給された輝度信号ＹＯＵＴ１（テクスチャ強調処理後の輝度信号）の比「（ＹＩＮ／ＹＯＵＴ１）」を求め、色差信号ＵＩＮ，ＶＩＮに乗じることにより、色差信号ＵＩＮ，ＶＩＮを輝度信号ＹＯＵＴの増幅分だけ増幅する。これにより、Ｙ／Ｃ比がテクスチャ強調処理の前後で一定に保たれるように色差信号ＵＯＵＴ，ＶＯＵＴが生成される。クロマアンプ１７は、生成した色差信号ＵＯＵＴ，ＶＯＵＴを、マトリクス回路１９に供給する。
【００６５】
ステップＳ８において、マトリクス回路１９は、輪郭補正回路１８から輝度信号ＹＯＵＴ２（ステップＳ５の処理により生成された輝度信号ＹＯＵＴ２）を取得し、クロマアンプ１７から色差信号ＵＯＵＴ，ＶＯＵＴ（ステップＳ７の処理により生成された色差信号ＵＯＵＴ，ＶＯＵＴ）を取得し、このＹＵＶ信号としての信号ＹＯＵＴ２ＵＯＵＴＶＯＵＴをＲＧＢ信号に変換する。すなわち、テクスチャ強調処理後のＹＵＶ信号からＲＧＢ信号が生成される。マトリクス回路１９は、変換したＲＧＢ信号をドライバ２０に出力する。
【００６６】
ステップＳ９において、ドライバ２０は、ＲＧＢ信号に基づいて、駆動信号を生成し、ディスプレイ３に出力する。具体的には、ドライバ２０は、入力されるＲＧＢ信号（ステップＳ８の処理によりマトリクス回路１９により変換されたＲＧＢ信号）を増幅し、輝度階調に応じた電圧値の駆動信号を生成し、ディスプレイ３に出力する。
【００６７】
ステップＳ１０において、ディスプレイ３は、入力される駆動信号に基づく画像を表示する。例えば、ディスプレイ３として、ＣＲＴ２１が選択されていた場合、ＣＲＴ２１は、この駆動信号に基づく画像を表示する。
【００６８】
次に、図８のフローチャートを参照して、テクスチャ強調部１５におけるテクスチャ強調処理を説明する。このフローチャートは、図７のステップＳ４の処理を詳細に説明するものである。なお、この処理は、マルチ画面処理部１４から輝度信号ＹＩＮがＳ／Ｔ分離回路５１に供給されたとき開始される。
【００６９】
ステップＳ５１において、Ｓ／Ｔ分離回路５１は、Ｓ／Ｔ分離処理を実行する。具体的には、輝度信号ＹＩＮにおける、振幅レベルの変動範囲と周波数の変動範囲に基づいて、フィルタの特性が求められ、輝度信号ＹＩＮが平滑化されることにより、ストラクチャ成分Ｓ１が求められるとともに、テクスチャ成分Ｔ１が求められる（図２）。その処理の詳細は、図９を参照して後述する。Ｓ／Ｔ分離回路５１は、生成したテクスチャ成分Ｔ１をテクスチャ増幅回路５２に供給し、ストラクチャ成分Ｓ２をストラクチャ補正回路５３に供給する。
【００７０】
ステップＳ５２において、テクスチャ増幅回路５２はテクスチャ増幅処理を実行する。具体的には、テクスチャ成分Ｔ１をエンハンスゲインＴＥに基づいて増幅し、テクスチャ成分Ｔ２を生成する（図２）。テクスチャ増幅回路５２は、生成（増幅）したテクスチャ成分Ｔ２をスイッチ５４に出力する。スイッチ５４は、増幅されたテクスチャ成分Ｔ２と、増幅されていないテクスチャ成分Ｔ１のうちいずれか一方を選択し、選択したテクスチャ成分を加算器５５に出力する。なお、この処理の詳細は、図１０を参照して後述する。
【００７１】
ステップＳ５３において、ストラクチャ補正回路５３は、ストラクチャ補正処理を実行する。具体的には、ストラクチャ成分Ｓ１を遅延させるとともに、ガンマ曲線γ０を求めてガンマ曲線γ０のゲインを加減し、遅延させたストラクチャ成分Ｓ１とガンマ曲線γ０を加算することにより、ストラクチャ成分Ｓ２を生成する（図２）。その処理の詳細は、図１１を参照して後述する。ストラクチャ補正回路５３は、生成したストラクチャ成分Ｓ２を加算器５５に出力する。
【００７２】
ステップＳ５４において、加算器５５は、ステップＳ５３の処理により補正されたストラクチャ成分Ｓ２と、ステップＳ５２の処理によりスイッチ５４に選択されたテクスチャ成分（テクスチャ成分Ｔ１またはテクスチャ成分Ｔ２）を加算し、輝度信号ＹＯＵＴ１を生成する（図２）。生成された輝度信号ＹＯＵＴ１は、マトリクス回路１９に供給されるとともに、クロマアンプ１７に供給される。この処理により、テクスチャ成分が強調される。
【００７３】
図８の処理によりテクスチャ強調処理が行なわれた輝度信号ＹＯＵＴ１に基づいて、上述したように、さらに、図７のステップＳ５乃至ステップＳ１０の処理が実行される。
【００７４】
図９は、図８のステップＳ５１のＳ／Ｔ分離回路５１におけるＳ／Ｔ分離処理を説明するフローチャートである。なお、この処理は、図３のＳ／Ｔ分離回路５１（テクスチャ増幅回路５２のレベル判定部８１、周波数判定部８２、および非線形フィルタ８４）に輝度信号ＹＩＮが供給されたとき開始される。
【００７５】
ステップＳ１０１において、レベル判定部８１は、輝度信号ＹＩＮの振幅レベルの変動範囲を判定し、判定結果をフィルタ特性決定部８３に出力する。
【００７６】
ステップＳ１０２において、周波数判定部８２は、輝度信号ＹＩＮの周波数の変動範囲を判定し、判定結果をフィルタ特性決定部８３に出力する。
【００７７】
ステップＳ１０３において、フィルタ特性決定部８３は、レベル判定部８１による判定結果（ステップＳ１０１の処理）、および周波数判定部８２による判定結果（ステップＳ１０２の処理）に基づいて、非線形フィルタ８４の振幅レベル、および周波数の閾値を決定する。決定された振幅レベル、および周波数の閾値は、非線形フィルタ８４に出力される。
【００７８】
ステップＳ１０４において、非線形フィルタ８４は、フィルタ特性決定部８３から振幅レベル、および周波数の閾値を取得し、これに基づいて、輝度信号ＹＩＮに平滑化処理を行ない、ストラクチャ成分Ｓ１を抽出する（図２）。ここで抽出されたストラクチャ成分Ｓ１は、エッジ部分はそのまま保存され、それ以外の部分のみ平滑化された画像データとされる。すなわち、画像の中の輪郭線等の大まかな構成を表すデータである。例えば、図１２（ストラクチャ成分とテクスチャ成分とを原理的に説明する図）に示されるように、入力されるＹＵＶ信号としての信号ＹＩＮＵＩＮＶＩＮにより生成される画像が、画像１２１とされる場合、抽出されたストラクチャ成分Ｓ１（主に画像の輪郭成分を構成する成分）により生成される画像は、画像１２２とされる。
【００７９】
ステップＳ１０５において、減算器８５は、輝度信号ＹＩＮからストラクチャ成分Ｓ１を減算する。これにより、テクスチャ成分Ｓ１が抽出される（図２）。抽出されたテクスチャ成分Ｔ１は、元信号からストラクチャ成分Ｓ１を除いた小振幅成分となっており、画像の中の細部、例えば衣服の模様などの細かな起伏に相当するデータである。図１２の例の場合、抽出されたテクスチャ成分Ｓ１（主に画像の細部を構成する成分）により生成される画像は、画像１２３とされる。このように、画像信号が、ストラクチャ成分Ｓ１（画像１２２に対応する成分）とテクスチャ成分Ｔ１（画像１２３に対応する成分）に分離される。
【００８０】
図９の処理により、Ｓ／Ｔ分離回路５１からストラクチャ成分Ｓ１、およびテクスチャ成分Ｔ１が生成され、出力される。図９の処理により分離されたテクスチャ成分Ｔ１に基づいて、上述したように、図８のステップＳ５２の処理が実行され、ストラクチャ成分Ｓ１に基づいて、図８のステップＳ５３の処理が実行される。
【００８１】
図１０は、図８のステップＳ５２のテクスチャ増幅回路５２、および、スイッチ５４（図４のテクスチャ増幅回路５２とスイッチ５４）におけるテクスチャ増幅処理を説明するフローチャートである。なお、この処理は、Ｓ／Ｔ分離回路５１から、テクスチャ成分Ｔ１が供給されたとき開始される。
【００８２】
ステップＳ１５１において、テクスチャ増幅回路５２は、Ｓ／Ｔ分離回路５１の減算器８５からテクスチャ成分Ｔ１を取得する（図２参照）。
【００８３】
ステップＳ１５２において、テクスチャ増幅回路５２は、取得したテクスチャ成分Ｔ１を、外部入力されるエンハンスゲインＴＥに基づいて増幅し、テクスチャ成分Ｔ２を生成する（図２参照）。
【００８４】
ステップＳ１５３において、テクスチャ増幅回路５２は、生成したテクスチャ成分Ｔ２を、加算器５５に出力する。
【００８５】
ステップＳ１５４において、スイッチ５４は、マルチ画面処理部１４からＤＥ信号を取得する。マルチ画面処理部１４は、いま供給しているＹＵＶ信号が画像表示期間である場合、ＤＥ＝０を出力し、画像表示期間でない場合（例えば、マルチ画像の枠（マルチ画像でない領域の画像）の表示期間である場合）、ＤＥ＝１を出力する。
【００８６】
具体的には、図１３に示されるような、１画面に複数の縮小画像（マルチ画像）２０１乃至２０９を含む全体画像２００を表示させる場合、マルチ画像２０１乃至２０９の内部の範囲では、ＤＥ＝０とされ、マルチ画像２０１乃至２０９ではない範囲では、ＤＥ＝１とされる。なお、いまの例の場合、マルチ画像２０１乃至２０５に対応する番組のテレビジョン信号は、チューナ１１Ａにより受信され、マルチ画像２０６乃至２０９に対応する番組のテレビジョン信号は、チューナ１１Ｂにより受信されたものである。すなわち、マルチ画像２０１乃至２０５は、チューナ１１Ａにより受信された番組のチャンネル１乃至５に対応し、マルチ画像２０６乃至２０９は、チューナ１１Ｂにより受信された番組のチャンネル６乃至９に対応する。
【００８７】
ステップＳ１５５において、スイッチ５４は、マルチ画面処理部１４から供給されたＤＥ信号がＤＥ＝０である（画像表示期間である）か否かを判定する。ＤＥ＝０であると判定された場合、処理はステップＳ１５６に進み、スイッチ５４は、テクスチャ増幅回路５２からテクスチャ成分Ｔ２（ステップＳ１５３の処理で生成されたテクスチャ成分Ｔ２）を取得する。
【００８８】
ステップＳ１５５において、ＤＥ＝０でないと判定された場合、すなわち、ＤＥ＝１である（マルチ画像の枠である）と判定された場合、ステップＳ１５７に進み、スイッチ５４は、Ｓ／Ｔ分離回路５１からテクスチャ成分Ｔ１を取得する。
【００８９】
ステップＳ１５６の処理の後、またはステップＳ１５７の処理の後、ステップＳ１５８において、スイッチ５４は、取得したテクスチャ成分を加算器５５に出力する。すなわち、スイッチ５４が、ステップＳ１５６においてテクスチャ成分Ｔ２を選択した場合、テクスチャ成分Ｔ２を加算器５５に出力し、スイッチ５４が、ステップＳ１５７においてテクスチャ成分Ｔ１を選択した場合、テクスチャ成分Ｔ１を加算器５５に出力する。
【００９０】
図１０の処理により、図１３に示されるような全体画像２００を表示させる場合、縮小画像とされるマルチ画像２０１乃至マルチ画像２０９以外であって、全体画像２００とされる部分（すなわち、マルチ画像の枠）を確実に識別することができ、もって、マルチ画像の枠領域のコントラストの強調（不要な強調）を防ぐことができる。
【００９１】
具体的には、各マルチ画像間の枠の幅が狭い場合（例えば、マルチ画像２０１とマルチ画像２０４の間隔が狭い場合）においても、スイッチ５４が、画像表示期間である場合（ＤＥ＝０）とない場合（ＤＥ＝１）を区別して、テクスチャ成分を選択するので、結果的に、枠領域のコントラストの不要な強調が抑えられる。これにより、例えば、枠周辺の画像（例えば、マルチ画像２０ｉ（ｉ＝１，２，３，・・・，９）の縁の近傍）とマルチ画像２０ｉ（ｉ＝１，２，３，・・・，９）の枠との輝度差が大きい場合に、マルチ画像の枠をテクスチャ成分と判定して、その輝度差を強調してしまうことを防ぐことができる。
【００９２】
また、マルチ画像２０１乃至２０９のそれぞれを、１つの画像とみなし、ストラクチャ成分とテクスチャ成分に任意に分離して、テクスチャ成分を強調することができるので、容易に、本来のマルチ画像毎のコントラストの調整を行なうことができる。
【００９３】
図１０の処理により生成されたテクスチャ成分（テクスチャ成分Ｔ１またはテクスチャ成分Ｔ２）に基づいて、上述したように、さらに、図８のステップＳ５４の処理が実行される。
【００９４】
図１１は、図８のステップＳ５３のストラクチャ補正回路５３におけるストラクチャ補正処理を説明するフローチャートである。なお、この処理は、Ｓ／Ｔ分離回路５１からストラクチャ成分Ｓ１が図４のストラクチャ補正回路５３（ストラクチャ補正回路５３のガンマ曲線生成回路１０１、および遅延回路１０３）に供給されたとき開始される。
【００９５】
ステップＳ２０１において、遅延回路１０３は、ストラクチャ成分Ｓ１を取得し、これを遅延させる。具体的には、ゲイン調整回路１０２において生成されるガンマ曲線γ０と同期を取るように遅延させ、遅延させたストラクチャ成分Ｓ１を加算器１０４に出力する。
【００９６】
ステップＳ２０２において、ガンマ曲線生成回路１０１は、ストラクチャ成分Ｓ１をガンマ特性１０１Ａから減算することでガンマ補正の補正量であるガンマ曲線γ０を求め、ゲイン調整回路１０２に出力する（図５）。いまの例の場合、ガンマ曲線γ０は、以下の３つの特徴と備えるものとされる。第１に、ガンマ値が選ばれることで黒側が持ち上がるような曲線とされる。第２に、入力信号の２０乃至４０（ＩＲＥ）の範囲内に曲線のピークＰを有する。第３に、最高出力値が最高入力値に対しオフセット値ΔＹだけ低く設定さる。ガンマ曲線生成回路１０１は、生成したガンマ曲線γ０をゲイン調整回路１０２に出力する。
【００９７】
ステップＳ２０３において、ゲイン調整回路１０２は、入力されたガンマ曲線γ０に対し、そのゲイン（ゲインＧ）を加減する（図４，図６）。具体的には、ゲイン調整回路１０２には、エンハンスゲインＴＥ、およびドライブゲインＤが入力され、両者の兼ね合いによってゲインＧに強弱がつけられる。これにより、ゲインＧは、テクスチャ成分Ｔ１の増幅の度合い、さらにはドライバ２０側の信号制御、ディスプレイ３自体の特性等の画質に関わる条件を考慮した値となる。このゲインＧにより、ガンマ曲線γ０の特性は、合成後の輝度信号ＹＯＵＴ１の振幅レンジがダイナミックレンジ内に収まるように設定される。ここでは、輝度信号ＹＯＵＴ１の振幅レンジがダイナミックレンジいっぱいに収まるようにゲインＧを加減し、ガンマ曲線γ０を調整するものとする。このゲインＧが加減されたガンマ曲線γ０は、加算器１０４に出力される。
【００９８】
ステップＳ２０４において、加算器１０４は、ガンマ曲線γ０（ステップＳ２０３の処理によりゲインＧが加減されたガンマ曲線）と遅延回路１０３によりガンマ曲線γ０との同期が取れているストラクチャ成分Ｓ１を取得し、ストラクチャ成分Ｓ１にガンマ曲線γ０を加算する。このことは、ガンマ補正が行なわれていることと等価である。このガンマ補正では、黒側の振幅レベルが持ち上がるように増幅されてコントラストが補正されるだけでなく、オフセットΔＹにより白側の振幅レベルが低減される。また、２０乃至４０（ＩＲＥ）の範囲内の輝度領域にピークを持たせ、振幅を持ち上げるような補正が施される。このように、ストラクチャ成分Ｓ１に上述したガンマ曲線γ０の特性が付与され、ストラクチャ成分Ｓ２が生成される（図２）。
【００９９】
ステップＳ２０５において、加算器１０４は、生成したストラクチャ成分Ｓ２を加算器５５に出力する。
【０１００】
図１１の処理により生成されたストラクチャ成分Ｓ２は、上述したように、さらに、図８のステップＳ５４の処理が実行される。
【０１０１】
図７乃至図１１の処理をまとめると、次のようになる。図１０のステップＳ１５５において、スイッチ５４は、画像表示期間である（ＤＥ＝０）場合と、画像表示期間でない（ＤＥ＝１）場合とを区別して、増幅されたテクスチャ成分Ｔ２、および増幅されていないテクスチャ成分Ｔ１のうち、いずれか一方を選択し、図８のステップＳ５４において、加算器５５は、ストラクチャ成分Ｓ２と、選択されたテクスチャ成分を加算して輝度信号ＹＯＵＴ１を生成する。
【０１０２】
画像表示期間である（ＤＥ＝０）場合、ストラクチャ成分Ｓ２は、エンハンスゲインＴＥとドライブゲインＤを参照したガンマ補正によって黒側が持ち上げられているので（図１１の処理）、テクスチャ成分Ｔ２を加算した後の最小振幅レベルは、ダイナミックレンジいっぱいになる。また、白側の振幅レベルがエンハンスゲインＴＥとドライブゲインＤを参照して低減されているので（図１１の処理）、テクスチャ成分Ｔ２を加算した後の最大振幅レベルは、ダイナミックレンジいっぱいになる。したがって、輝度信号ＹＯＵＴ１は、テクスチャ強調処理がなされていると同時に、ドライバ２０の駆動信号のダイナミックレンジ内にちょうど収まるようになっている。
【０１０３】
すなわち、元信号である輝度信号ＹＯＵＴ１のストラクチャ成分補正により、駆動信号は白側、黒側ともダイナミックレンジ内に収まったものとなる。よって、黒づまりや白づまりの現象が防止される。しかも、ここでは、駆動信号はダイナミックレンジいっぱいに駆動されるようになっており、必要以上に画像が暗くなるのを防いでいる。なお、上述したように、輝度信号ＹＯＵＴ１には、ドライバ２０側での信号制御、ディスプレイ３自体の特性等の画質に関わる条件を考慮してストラクチャ成分補正がなされているので、これに基づく駆動信号は、適正なコントラスト配分で表示を行うようになっている。
【０１０４】
また、輝度信号ＹＯＵＴ１では、２０乃至４０（ＩＲＥ）の範囲内にピークを有するように低輝度領域の振幅を持ち上げるような補正がなされているので、これに基づく駆動信号においても、この輝度領域の振幅が持ち上がったものとなる。よって、ちょうど人物の顔の輪郭や影に相当する黒色が明るく補正され、この範囲のテクスチャ成分増幅の効果が緩和される。
【０１０５】
したがって、ディスプレイ３に表示される画像では、黒づまりや白づまりの現象が防止され、テクスチャ強調処理による効果、すなわち細部のコントラスト向上により、鮮鋭であるにも関わらず自然な印象を与えるという効果が遺憾なく発揮される。また、ストラクチャ成分の補正により全体のコントラストバランスが調整されているため、細部のコントラスト向上を明るい部分でもはっきりと視認することができ、テクスチャ強調が一層有効なものとなる。さらに、テクスチャ強調処理によって人物の顔の輪郭や影の部分が黒く強調されてしまうことが緩和され、画質を落とさないようにすることができる。また、この画質に、さらに、輪郭補正が行なわれた画質とすることができる。
【０１０６】
画像表示期間でない（ＤＥ＝１）場合、テクスチャ成分の不要な強調を防ぐことができる。
【０１０７】
以上の処理により、マルチ画像２０１乃至マルチ画像２０９の範囲と、マルチ画像でない範囲を確実に識別することができるので、マルチ画像の枠領域のコントラストの不要な強調を防ぐことができる。
【０１０８】
具体的には、各画像間の枠の幅が狭い場合（例えば、マルチ画像２０１とマルチ画像２０４の間隔が狭い場合）においても、スイッチ５４が、画像表示期間である場合（ＤＥ＝０）とない場合（ＤＥ＝１）を区別して、テクスチャ成分を選択するので、結果的に、枠領域のコントラストの不要な強調が抑えられる。これにより、例えば、枠周辺の画像（例えば、マルチ画像２０ｉ（ｉ＝１，２，３，・・・，９）の縁の近傍）とマルチ画像２０ｉ（ｉ＝１，２，３，・・・，９）の枠との輝度差が大きい場合に、マルチ画像の枠をテクスチャ成分と判定して、その輝度差を強調してしまうことを防ぐことができる。
【０１０９】
また、マルチ画像２０１乃至２０９のそれぞれを、１つの画像とみなし、ストラクチャ成分とテクスチャ成分に任意に分離して、テクスチャ成分を強調することができるので、容易に、マルチ画像毎のコントラストの調整を行なうことができる。
【０１１０】
また、複数のマルチ画像２０１乃至２０９を含む全体画像２００を表示する場合において、簡単かつ迅速に、マルチ画像毎にコントラストを調整することができる。
【０１１１】
なお、１つの画面上に複数のマルチ画像（縮小画像）を同時に表示させるマルチ画面表示機能を有するテレビジョン受像機は、以下のように構成することもできる。
【０１１２】
図１４は、本発明を適用した他のテレビジョン受像機４００の構成例を示すブロック図である。図中、図１と対応する部分については、同一の符号を付してあり、その説明は、繰り返しになるので省略する。
【０１１３】
図１４の例の場合、テレビジョン受像機４００には、ＤＥ領域変換部４１１が設けられており、ＤＥ領域変換部４１１は、マルチ画面処理部１４から供給されるＤＥ信号（上述した図１と同様に、出力したＹＵＶ信号（信号ＹＩＮＵＩＮＶＩＮ）が、画像表示期間でない（マルチ画像の枠である）ことを示すＤＥ信号）の領域を２次元（水平および垂直方向）でさらに広くなるように枠信号ＤＥ’を生成する。具体的には、図１５に示されるように、マルチ画像の枠の領域が広げられるように（マルチ画像の一部が枠となるように）、ＤＥ信号がＤＥ’信号に変更される。
【０１１４】
図１５において、マルチ画像２０ｉ（ｉ＝１，２，３，・・・，９）は、左または右の端部から内側に水平方向にｘ画素だけ狭められ（枠が広げられ）、また、上または下の端部から内側に、垂直方向にｙ画素（ライン）だけ狭められ（枠が広げられ）ている。すなわち、マルチ画像の縁の近傍の所定の範囲において、マルチ画像の表示領域が、ＤＥ領域変換部４１１によりマルチ画像の枠とされる。ＤＥ領域変換部４１１は、結果的に画像５０ｉ（ｉ＝１，２，・・・，９）の領域では、画像表示期間を示す信号ＤＥ’＝０を出力し、画像５０ｉ（ｉ＝１，２，３，・・・，９）以外の領域では、画像表示期間でないことを示す信号（すなわち、マルチ画像の枠領域であることを示す枠信号）ＤＥ’＝１を出力する。
【０１１５】
スイッチ４１２は、ＤＥ領域変換部４１１からＤＥ’信号を取得し、ＤＥ’信号に基づいて、テクスチャ増幅回路５２により生成されたテクスチャ成分Ｔ２（テクスチャ成分Ｔ１が増幅された成分）と、増幅されていないテクスチャ成分Ｔ１（Ｓ／Ｔ分離回路５１から出力されたテクスチャ成分Ｔ１）のいずれか一方を選択する。
【０１１６】
具体的には、マルチ画面処理部１４は、いま出力したＹＵＶ信号が画像表示期間である場合（マルチ画像２０ｉの範囲内の場合）、ＤＥ＝０をＤＥ領域変換部４１１に供給し、ＹＵＶ信号が画像表示期間でない場合（マルチ画像２０ｉの領域外の枠領域である場合）、ＤＥ＝１をＤＥ領域変換部４１１に供給する。ＤＥ領域変換部４１１は、画像表示期間である場合（ＤＥ＝０である場合）においても、そのマルチ画像２０ｉ（ｉ＝１，２，３，・・・，９）の左右の縁から水平方向にｘ画素だけ内側の領域と、上下の縁から垂直方向にｙ画素（ライン）だけ内側の範囲も枠の領域となるように信号をＤＥ’＝１と設定し、それ以外の範囲（例えば、画像５０１の内側、またはマルチ画像２０１の外側）のＤＥ信号は、そのままＤＥ’として設定する（すなわちＤＥ’＝ＤＥとされる）。
【０１１７】
スイッチ４１２は、ＤＥ領域変換部４１１からのＤＥ’信号が、ＤＥ’＝０とされる場合、テクスチャ増幅回路５２からテクスチャ成分Ｔ２を取得し、ＤＥ’＝１とされる場合、Ｓ／Ｔ分離回路５１からテクスチャ成分Ｔ１（すなわち、増幅されていないテクスチャ成分Ｔ１）を取得する。
【０１１８】
次に、図１６のフローチャートを参照して、図１４のテレビジョン受像機４００のテクスチャ強調部４１０におけるテクスチャ強調処理を説明する。なお、図１６のフローチャートは、上述した図７乃至図１１のうち、図１０のフローチャートに対応する処理とされ、その他の処理（図７，図８，図９，図１１の処理）は、上述した図７，図８，図９，図１１の処理と同様であるのでその説明は省略する。すなわち、図１６のフローチャートは、図８のステップＳ５２の処理の詳細な説明であって、図１０のフローチャートに対応している。また、図１６のステップＳ３０１乃至Ｓ３０３は、図１０のステップＳ１５１乃至ステップＳ１５３にそれぞれ対応しており、図１６のステップＳ３１０乃至ステップＳ３１３は、図１０のステップＳ１５５乃至ステップＳ１５８にそれぞれ対応している。
【０１１９】
ステップＳ３０１において、テクスチャ増幅回路５２は、Ｓ／Ｔ分離回路５１の減算器８５からテクスチャ成分Ｔ１を取得する（図１０のステップＳ１５１に対応する処理）。
【０１２０】
ステップＳ３０２において、テクスチャ増幅回路５２は、取得したテクスチャ成分Ｔ１を、外部入力されるエンハンスゲインＴＥに基づいて増幅し、テクスチャ成分Ｔ２を生成する（図１０のステップＳ１５２に対応する処理）。
【０１２１】
ステップＳ３０３において、テクスチャ増幅回路５２は、生成したテクスチャ成分Ｔ２をスイッチ４１２に出力する（図１０のステップＳ１５３に対応する処理）。
【０１２２】
ステップＳ３０４において、ＤＥ領域変換部４１１は、マルチ画面処理部１４からＤＥ信号を取得する。上述したように、ＤＥ信号は、いま供給しているＹＵＶ信号が画像表示期間である場合、ＤＥ＝０とされ、画像表示期間でない場合（マルチ画像の枠である場合）、ＤＥ＝１とされている。
【０１２３】
ステップＳ３０５において、ＤＥ領域変換部４１１は、ＤＥ＝１であるか（マルチ画像の枠であるか）否かを判定する。ＤＥ＝１でない（すなわち、ＤＥ＝０である）と判定された場合、ステップＳ３０６において、ＤＥ領域変換部４１１は、いま処理しているＹＵＶ信号に対応する領域を、枠領域とするか否かを判定する。
【０１２４】
具体的には、ＤＥ領域変換部４１１は、いま処理しているＹＵＶ信号に対応する箇所が、図１５の画像５０１乃至５０９のいずれかの内側であるか否かを判定し、画像５０１乃至５０９のいずれかの内側にであると判定した場合、ステップＳ３０６の処理では、枠領域としないと判定される。逆に、ＤＥ領域変換部４１１は、マルチ画像２０１乃至２０９の内側であって、画像５０１乃至５０９の外側であると判定した場合、ステップＳ３０６の処理では、枠領域とすると判定される。なお、この処理は、ステップＳ３０５において、ＤＥ＝１でない（すなわち、ＤＥ＝０である）と判定された後の処理であるので、勿論、マルチ画像２０ｉ（ｉ＝１，２，３，・・・，９）より外側ではない。
【０１２５】
ステップＳ３０６において、枠領域としない（すなわち、画像５０１乃至５０９のいずれかの内側である）と判定された場合、ステップＳ３０７において、ＤＥ領域変換部４１１は、ＤＥ’＝０を出力する。
【０１２６】
ステップＳ３０５において、ＤＥ＝１であると判定された場合、またはステップＳ３０６において、枠領域すると判定された場合、処理はステップＳ３０８に進み、ＤＥ領域変換部４１１は、ＤＥ’＝１（マルチ画像の枠の表示期間であることを示す信号）を出力する。
【０１２７】
ステップＳ３０９において、スイッチ４１２は、ＤＥ領域変換部４１１からＤＥ’を取得する（図１０のステップＳ１５４に対応する処理）。このＤＥ’は、値が０または１とされている。
【０１２８】
ステップＳ３１０において、スイッチ４１２は、ＤＥ’信号が、ＤＥ’＝０である（枠領域でない、すなわち、画像５０１乃至５０９のいずれかの内側である）か否かを判定する（図１０のステップＳ１５５に対応する処理）。ＤＥ’＝０であると判定された場合、処理はステップＳ３１１に進み、スイッチ４１２は、テクスチャ増幅回路５２からテクスチャ成分Ｔ２（ステップＳ３０３の処理で生成されたテクスチャ成分Ｔ２）を取得する（図１０のステップＳ１５６に対応する処理）。
【０１２９】
ステップＳ３１０において、ＤＥ’＝０でないと判定された場合、すなわち、ＤＥ’＝１である（画像表示期間でない）と判定された場合、ステップＳ３１２に進み、スイッチ４１２は、Ｓ／Ｔ分離回路５１からテクスチャ成分Ｔ１（増幅されていないテクスチャ成分Ｔ１）を取得する（図１０のステップＳ１５７に対応する処理）。
【０１３０】
ステップＳ３１１の処理の後、またはステップＳ３１２の処理の後、ステップＳ３１３において、スイッチ４１２は、取得したテクスチャ成分（テクスチャ成分Ｔ１またはテクスチャ成分Ｔ２）を加算器５５に出力する。例えば、スイッチ４１２が、ステップＳ３１１においてテクスチャ成分Ｔ２を取得した場合、スイッチ４１２は、テクスチャ成分Ｔ２を加算器５５に出力する。また、スイッチ４１２がステップＳ３１２においてテクスチャ成分Ｔ１を取得した場合、これを加算器５５に出力する。
【０１３１】
図１６の処理により、図１５に示されるような複数のマルチ画像２０１乃至２０９よりなる全体画像２００を表示させる場合、各マルチ画像の枠領域をさらに広くして（マルチ画像の縁の近傍の所定の範囲において、マルチ画像の枠をさらに広くして）、枠の領域、およびマルチ画像２０１乃至２０９の縁の近傍の所定の範囲のコントラストの強調（調整）を防ぐようにしたので、マルチ画像の枠（縁）が、異常に強調されるのを防ぐことができる。
【０１３２】
これにより、マルチ画面を表示させる場合に、コントラストの強調を弊害なく実現することができる。
【０１３３】
また、マルチ画像２０ｉ（ｉ＝１，２，３，・・・，９）の縁の近傍の所定の範囲の画像と枠との輝度差が大きい場合に、枠および縁の近傍の所定の範囲の画像のテクスチャ成分Ｔ１を増幅しないようにしたので、画像と枠の輝度差の強調を防ぐことができる。
【０１３４】
さらに、複数のマルチ画像を含む全体画像を表示する場合において、簡単かつ迅速に、マルチ画像毎にコントラストを調整することができる。
【０１３５】
以上により、テレビジョン受像機が、画像信号をテクスチャ成分とストラクチャ成分に分離し、テクスチャ成分を強調するようにしたので、複数のマルチ画像を１画面に表示させる場合（マルチ画面表示を行なう場合）においても、容易にマルチ画像毎にコントラストの強調（調整）を行なうことができる。
【０１３６】
また、枠領域範囲を示す信号（画像表示期間を示す信号）に基づいて、テクスチャの強調を調整するようにしたので、複数のマルチ画像を１つの画面上に同時に表示させる場合かつ、各マルチ画像間（マルチ画像の枠）が狭い場合においても、各マルチ画像間の枠をテクスチャ成分として判断されるのを防ぐことができ、もって、枠とマルチ画像の輝度差の強調を防ぐようにすることができる。
【０１３７】
さらに、複数のマルチ画像を１画面に表示させる場合に、マルチ画像毎のコントラストを調整し、かつ、枠と各マルチ画像の輝度差の強調を防ぐようにしたので、自然な画像とすることができる。
【０１３８】
また、画像表示期間を示す信号に基づいて、マルチ画像の枠を示す枠信号を生成するようにしたので、簡単に実現することができる。
【０１３９】
さらに、マルチ画像の枠領域より広い領域（マルチ画像の縁の近傍の所定の範囲）においても、枠領域と設定する（ＤＥ’）ようにしたので、各マルチ画像の縁が異常に強調されるのを防ぐことができる。
【０１４０】
なお、マルチ画面表示機能を有するテレビジョン受像機に限らず、各放送番組のチャンネルの内容を静止画で表示させるようなマルチチャンネルインデックス表示を行なうテレビジョン受像機においても、本発明は適用することができる。
【０１４１】
また、マルチ画像は、必ずしもサイズを縮小した画像である必要はない。もともと標準サイズの画像に較べてサイズが小さい画像であってもよい。
【０１４２】
さらに、以上の例では、ガンマ曲線γ０の調整をエンハンスゲインＴＥ，ドライブゲインＤの２つの条件を組み合わせて行なうようにしたが、エンハンスゲインＴＥだけを参照して行なうようにしてもよい。
【０１４３】
また、以上の例は、テレビジョン受像機について説明したが、画像表示機能を有するテレビジョン受像機に限らず、テレビジョンカメラ、デジタルカメラ、ＶＴＲ（Ｖｉｄｅｏ  Ｔａｐｅ  Ｒｅｃｏｒｄｅｒ）、プリンタ、およびパーソナルコンピュータ等の画像処理を行なう装置全般に適用することができる。
【０１４４】
さらに、上述した実施の形態では、本発明の画像処理方法に係るＳ／Ｔ分類、テクスチャ強調、およびストラクチャ補正の各動作を回路によって行なうものとしたが、これらをソフトウエア上で実現させてもよい。
【０１４５】
なお、本明細書において、各フローチャートを記述するステップは、記載された順序に従って時系列的に行われる処理はもちろん、必ずしも時系列的に処理されなくとも、並列的あるいは個別に実行される処理をも含むものである。
【０１４６】
【発明の効果】
以上の如く、本発明によれば、画像のコントラストを調整することができる。特に、本発明によれば、複数のマルチ画像を１画面に表示する場合において、マルチ画像毎にコントラストを調整することができる。また、簡単かつ迅速にマルチ画像毎にコントラストを調整することができる。
【図面の簡単な説明】
【図１】本発明を適用したテレビジョン受像機の構成例を示すブロック図である。
【図２】図１のテクスチャ強調部の作用を説明する図である。
【図３】図１のＳ／Ｔ分離回路の構成例を示すブロック図である。
【図４】図１のストラクチャ補正回路とテクスチャ増幅回路の構成例を示すブロック図である。
【図５】図４のガンマ曲線生成回路の作用を説明する図である。
【図６】図４のゲイン調整回路の作用を説明する図である。
【図７】図１のテレビジョン受像機における画像表示処理を説明するフローチャートである。
【図８】図７のステップＳ４のテクスチャ強調処理を説明するフローチャートである。
【図９】図８のステップＳ５１のＳ／Ｔ分離処理を説明するフローチャートである。
【図１０】図８のステップＳ５２のテクスチャ強調処理を説明するフローチャートである。
【図１１】図８のステップＳ５３のストラクチャ補正処理を説明するフローチャートである。
【図１２】ストラクチャ成分とテクスチャ成分を説明する図である。
【図１３】複数のマルチ画像を含む全体画像の例を説明する図である。
【図１４】本発明を適用したテレビジョン受像機の他の構成例を示すブロック図である。
【図１５】複数のマルチ画像を含む全体画像の例を説明する図である。
【図１６】図１４のテクスチャ増幅回路におけるテクスチャ増幅処理を説明するフローチャートである。
【符号の説明】
２  画像処理部，  ３  ディスプレイ，  １４  マルチ画面処理部，  １５  テクスチャ強調部，  １６  遅延回路，  １７  クロマアンプ，  １８  輪郭補正回路，  ５１  輪郭補正回路，  ５２  テクスチャ増幅回路，  ５３  ストラクチャ補正回路，  ５４  スイッチ，  ５５  加算器，  ８１  レベル判定部，８２  周波数判定部，  ８３  フィルタ特性決定部，  ８４  非線形フィルタ，  ８５  減算器，  １０１  ガンマ曲線生成回路，  １０２  ゲイン調整回路，  １０３  遅延回路，  １０４  加算器，  ２００  全体画像，  ４１０  テクスチャ強調部，  ４１１  ＤＥ領域変換部，  ４１２  スイッチ
【図１】
2004266757.tif 000003
【図２】
2004266757.tif 000004
【図３】
2004266757.tif 000005
【図４】
2004266757.tif 000006
【図５】
2004266757.tif 000007
【図６】
2004266757.tif 000008
【図７】
2004266757.tif 000009
【図８】
2004266757.tif 000010
【図９】
2004266757.tif 000011
【図１０】
2004266757.tif 000012
【図１１】
2004266757.tif 000013
【図１２】
2004266757.tif 000014
【図１３】
2004266757.tif 000015
【図１４】
2004266757.tif 000016
【図１５】
2004266757.tif 000017
【図１６】
2004266757.tif 000018